(57)【要約】      （修正有）【課題】表面強度が高いことにより、突起物が破損等し難く、また、表面が濡れているような場合でも滑り難い視覚障害者誘導用ブロック及び視覚障害者誘導用ブロックの製造方法を提供する。【解決手段】誘導用ブロック１は、骨材１０が混在する接着剤２０が表面に塗布された構成となっていることから、表面強度が高くなっており、表面の突起物が破損したり、すり減ったりし難くなっている。また、誘導用ブロック１の表面には骨材１０による凹凸が形成されることから、雨天時のように表面が濡れているような場合にも滑り難くなっている。【選択図】図１
2020117916.tif 000002
【特許請求の範囲】
【請求項１】
基材と、前記基材上に複数の突起物が形成された視覚障害者誘導用ブロックであって、
骨材が混在する接着剤が表面に塗布されていることを特徴とする視覚障害者誘導用ブロック。
【請求項２】
混在する前記骨材による凹凸が表面に形成されていることを特徴とする請求項１に記載の視覚障害者誘導用ブロック。
【請求項３】
前記骨材は、セラミック又は炭化ケイ素であることを特徴とする請求項１又は２に記載の視覚障害者誘導用ブロック。
【請求項４】
前記骨材の色が複数色からなることを特徴とする請求項１から３の何れか１項に記載の視覚障害者誘導用ブロック。
【請求項５】
基材と、前記基材上に複数の突起物が形成された視覚障害者誘導用ブロックの製造方法であって、
表面を清掃する清掃工程と、
骨材と接着剤を表面に塗布する塗布工程と、
からなることを特徴とする視覚障害者誘導用ブロックの製造方法。
【請求項６】
前記骨材と前記接着剤とを混ぜる混練工程を更に有し、
前記塗布工程は、前記混練工程により前記骨材の混ざった前記接着剤を表面に塗布することを特徴とする請求項５に記載の視覚障害者誘導用ブロックの製造方法。
【請求項７】
前記塗布工程は、
表面に下層接着剤を塗布する第１塗布工程と、
前記第１塗布工程の後に前記骨材を散布する散布工程と、
前記散布工程の後に上層接着剤を塗布する第２塗布工程と、
からなることを特徴とする請求項５に記載の視覚障害者誘導用ブロックの製造方法。
【発明の詳細な説明】
【技術分野】
【０００１】
本発明は、駅のホームや歩道に敷設されている視覚障害者誘導用ブロック及び視覚障害者誘導用ブロックの製造方法に関し、より詳しくは表面の強度が高く、滑り難い視覚障害者誘導用ブロック及び視覚障害者誘導用ブロックの製造方法に関する。
【背景技術】
【０００２】
視覚障害者を誘導するために点字ブロックと呼ばれたりもする視覚障害者誘導用ブロックが、駅や歩道に敷設されている。この視覚障害者誘導用ブロックには、非特許文献１にあるように、表面に線状の突起物が形成された誘導ブロックと、表面に点状の突起物が形成された警告ブロックとがある。
【０００３】
また、視覚障害者誘導用ブロックの材質としては、大きくは非特許文献２にあるように、コンクリートや磁器からなるものと、樹脂からなるものとがある。これらの材質の違いについては、例えば特許文献１の段落［０００５］、［０００６］に記載されている。
【０００４】
この視覚障害者誘導用ブロックは、視覚障害者を安全に誘導するために敷設されているため、表面の突起物が破損したりすり減ったりすると、視覚障害者誘導用ブロックの交換が必要となる。突起物の破損等がどの程度生じた場合に交換する必要があるのかは統一されているわけではないが、公共性の高い場所に敷設されている視覚障害者誘導用ブロックは、例えば、突起物が２つ欠けると交換を行う、というように決められているものもある。
【先行技術文献】
【特許文献】
【０００５】
【特許文献１】特開２０１６−８４６８８号公報
【非特許文献】
【０００６】
【非特許文献１】社会福祉法人日本盲人会連合のホームページ、［online］、交通バリアフリー→点字ブロックについて、［平成３０年８月３０日検索］、インターネット〈URL：http://nichimou.org/impaired-vision/barrier-free/induction-block/〉
【非特許文献２】一般財団法人安全交通試研究センター、［online］、製品紹介、［平成３０年８月３０日検索］、インターネット〈http://www.tsrc.or.jp/item/〉
【発明の概要】
【発明が解決しようとする課題】
【０００７】
ところで、突起物の破損等は、経年劣化によって当然生じるものではあるが、雪の降る地方においては、屋外に敷設された視覚障害者誘導用ブロックの上を除雪機により除雪することで、突起物が破損等してしまうという問題がある。除雪機による除雪で突起物が破損等してしまうと、視覚障害者誘導用ブロックの交換が必要になるが、除雪による破損等は毎シーズン生じることなので、交換頻度が高くなってしまう。
【０００８】
従って、除雪機による除雪に対しても耐えられるだけの表面強度を有する視覚障害者誘導用ブロックが望まれる。また、当然ながら、表面強度の高い視覚障害者誘導用ブロックは、除雪機による突起物の破損等に限らず望まれるものである。
また、雨天時には視覚障害者誘導用ブロックが滑り易く、歩行者にとって危険であるという問題がある。
従って、雨天時のように表面が濡れている場合でも滑り難い視覚障害者誘導用ブロックが望まれている。
【０００９】
本発明は、表面強度が高いことにより、突起物が破損等し難い視覚障害者誘導用ブロック及び視覚障害者誘導用ブロックの製造方法を提供することを目的とする。また、本発明は、表面が濡れているような場合でも滑り難い視覚障害者誘導用ブロック及び視覚障害者誘導用ブロックの製造方法を提供することを目的とする。
【課題を解決するための手段】
【００１０】
上記目的を達成するため、本発明は、基材と、前記基材上に複数の突起物が形成された視覚障害者誘導用ブロックであって、骨材が混在する接着剤が表面に塗布されていることを特徴とする。
【００１１】
本発明の視覚障害者誘導用ブロックによれば、骨材が混在する接着剤により基材や突起物が覆われるため、表面の強度が高くなる。特に、コンクリート製の視覚障害者誘導用ブロックに対しては、突起物の破損防止の効果が高い。
【００１２】
また、本発明は、混在する前記骨材による凹凸が表面に形成されていることを特徴とする。本発明の視覚障害者誘導用ブロックによれば、雨天時等、表面が濡れている場合でも凹凸により表面が滑り難くなる。
【００１３】
また、本発明は、前記骨材が、セラミック又は炭化ケイ素であることを特徴とする。本発明の視覚障害者誘導用ブロックによれば、敷設されている視覚障害者誘導用ブロックの上を除雪機で除雪する場合に、除雪機の雪を掻き取る回転刃に対しても突起物の破損等が生じ難くなる。
【００１４】
また、本発明は、前記骨材の色が複数色からなることを特徴とする。本発明の視覚障害者誘導用ブロックによれば、敷設された時に色弱の人に対しても視覚障害者誘導用ブロックの視認性を高めることができる。
【００１５】
また、本発明の視覚障害者誘導用ブロックの製造方法は、基材と、前記基材上に複数の突起物が形成された視覚障害者誘導用ブロックの製造方法であって、表面を清掃する清掃工程と、骨材と接着剤を表面に塗布する塗布工程と、からなることを特徴とする。
【００１６】
本発明の視覚障害者誘導用ブロックの製造方法によれば、骨材が混在する接着剤により基材や突起物が覆われるため、表面の強度が高くなる。また、骨材の凹凸により、表面が滑り難くなる。
【００１７】
また、本発明は、前記骨材と前記接着剤とを混ぜる混練工程を更に有し、前記塗布工程は、前記混練工程により前記骨材の混ざった前記接着剤を表面に塗布することが好ましい。この混練工程により、基材や突起物の表面の骨材が接着剤に適度に埋まっているため、接着剤に対する骨材の接着面積を十分に確保することができ、骨材が剥がれ難くなる。
【００１８】
また、本発明は、前記塗布工程が、表面に下層接着剤を塗布する第１塗布工程と、前記第１塗布工程の後に前記骨材を散布する散布工程と、前記散布工程の後に上層接着剤を塗布する第２塗布工程と、からなることが好ましい。第１塗布工程と第２塗布工程により、骨材を接着剤で挟み込むことで骨材が非常に取れ難くなる。
【００１９】
なお、本発明の視覚障害者誘導用ブロックの製造方法においては、清掃工程の後に、清掃された表面にプライマを塗布するプライマ塗布工程を更に備えることも好ましい。このプライマ塗布工程により、基材表面と接着剤との接着性を高めることができる。
【図面の簡単な説明】
【００２０】
【図１】図１（Ａ）は実施形態１にかかる視覚障害者誘導用ブロックの平面図であり、図１（Ｂ）は図１（Ａ）のＩＢ−ＩＢの断面図である。
【図２】実施形態１にかかる視覚障害者誘導用ブロックの製造工程図である。
【図３】実施形態２にかかる視覚障害者誘導用ブロックの突起の拡大断面図である。
【図４】実施形態２にかかる視覚障害者誘導用ブロックを用いた検証実験の画像写真である。
【図５】実施形態３にかかる視覚障害者誘導用ブロックの平面図である。
【図６】実施形態４にかかる視覚障害者誘導用ブロックの製造図工程図である。
【発明を実施するための形態】
【００２１】
以下、実施形態及び図面を参照にして本発明を実施するための形態を説明するが、以下に示す実施形態は、本発明をここに記載したものに限定することを意図するものではなく、本発明は特許請求の範囲に示した技術思想を逸脱することなく種々の変更を行ったものにも均しく適用し得るものである。なお、この明細書における説明のために用いられた各図面においては、各部材を図面上で認識可能な程度の大きさとするため、各部材毎に縮尺を異ならせて表示しており、必ずしも実際の寸法に比例して表示されているものではない。
【００２２】
［実施形態１］
実施形態の視覚障害者誘導用ブロック（以下、適宜「誘導用ブロック」と記す）の構成について図１を用いて説明する。図１（Ａ）は誘導用ブロック１の平面図であり、図１（Ｂ）は図１（Ａ）のＩＢ−ＩＢの拡大断面図である。
【００２３】
誘導用ブロック１は、基材２の表面に点状の突起物３が形成されている所謂警告ブロックと言われるものである。また、この誘導用ブロック１は、基材２と突起物３が一体で形成されたコンクリートからなる。
【００２４】
そして、誘導用ブロック１の表面は、骨材１０からなる層で全体が覆われている構成となっている。この骨材１０は、粒径が０．３〜０．５ｍｍ程度のセラミック粒子からなる。また、骨材１０は、接着剤２０により、誘導用ブロック１の表面に塗布され固着している。
【００２５】
このように、本実施形態の誘導用ブロック１は、骨材１０が表面に固着された構成となっていることから、コンクリートからなる基材２や突起物３の表面に骨材１０からなる保護層が形成され、表面強度が高くなっている。従って、表面の突起物３が破損したり、すり減ったりし難くなっている。また、誘導用ブロック１の表面には骨材１０による凹凸が形成されることから、雨天時のように表面が濡れているような場合にも滑り難くなっている。
【００２６】
次に、このような誘導用ブロック１の製造方法について、図２を用いて説明する。なお、本実施形態の誘導用ブロック１は、既に駅のホームや歩道に敷設されている誘導用ブロックに対して施工して製造する方法を示す。しかしながら、既に施設されている誘導用ブロックに対してだけでなく、工場で製造された誘導用ブロックに対しても同様の工程で施工することも当然ながら可能である。
【００２７】
まず、コンクリートからなる基材２と突起物３が一体で形成された基誘導用ブロックについて、表面の汚れを落とすための清掃を行う（ステップ１  清掃工程）。表面の清掃は、布で拭いたり、刷毛で掃いたり等、表面の汚れを落とすことができる方法であれば特に限定されないが、本実施形態のように既に敷設されているような場合には、念入りに行う必要がある。
【００２８】
次に、清掃を行った基誘導用ブロックの表面側にプライマの塗布を行う（ステップ２  プライマ塗布工程）。このプライマは、後工程での接着剤２０と基板２の密着性を高めるために用いるものであり、既存のものを用いても構わないが、後述する接着剤２０であるファインファイバ（登録商標）を用いる場合には、ファインファイバと同じ分子構造からなるプライマが好ましい。
【００２９】
次に、別に用意する容器内でセラミック粒子からなる骨材１０と接着剤２０との混練を行う（ステップ３  混練工程）。この骨材１０は粒径０．３〜０．５ｍｍ程度となっている。また、基誘導用ブロックの表面全体を骨材１０で覆うことから、骨材１０は一般的な視覚障害者誘導用ブロックの表面色として用いられている黄色に着色されている。
【００３０】
このように基材１０は、着色性や強度等の面でセラミック粒子が好ましい。なお、骨材１０の大きさとしては、より大きな粒径のものを用いることもできるが、余り大き過ぎると視覚障害者が突起物３の存在を感じ難くなるおそれがある。また、大き過ぎる骨材１０を用いると、表面が滑り難くなり過ぎてしまい、歩行者が歩行中に躓いてしまうおそれがある。
【００３１】
また、接着剤２０として、様々な接着剤の中から繊維が混合されているものを用いている。繊維が混合されている接着剤２０とは、アクリル系やウレタン系、エポキシ系等の合成樹脂に、ガラスファイバやカーボンファイバ等の繊維が混合されたものである。そして、本実施形態においては、このような接着剤２０として、繊維化合成樹脂『ファインファイバ』（登録商標）のＦＦ−１０００を用いている。本発明者が様々な接着剤２０を用いて検証を行ったところ、このファイファイバ（ＦＦ−１０００）が基誘導用ブロック１Ａや骨材１０に対する接着力として最も適していた。
【００３２】
ファインファイバからなる接着剤２０は、主剤と硬化剤からなるが、骨材１０との混練は、まず主剤と硬化剤とを先に混ぜ合わせ、その後骨材１０との混練を行う。また、接着剤２０の使用量は、あまり少な過ぎると硬化後、接着剤２０から骨材１０が露出する割合が少な過ぎてしまい、簡単に骨材１０が取れてしまうおそれがある。一方で、接着剤２０の使用量が多過ぎると、硬化後、骨材１０が接着剤２０の中に完全に埋もれてしまい、表面に適度な凹凸が形成されなくなるおそれがある。
【００３３】
本発明者による様々な検証によると、骨材１０が接着剤２０に６０％程度は埋まっていることで、骨材１０が取れ難く、また滑り防止の表面凹凸としても十分であることがわかった。そして、この混練において骨材１０の割合としては１０〜５０％が好ましい。本実施形態においては、１．３ｋｇの接着剤２０に対して３００〜６００ｇの骨材１０を用いて混練を行った。
【００３４】
また、基誘導用ブロックの表面を骨材１０で覆う場合、先に接着剤２０を塗布し、その後骨材１０を散布したり、先に骨材１０を散布し、その後接着剤２０を塗布したりすることでも実現可能である。しかしながら、骨材１０が接着剤２０に適度に埋まることで、接着剤２０に対する骨材１０の接着面積を確保することが重要である。従って、事前に骨材１０と接着剤２０を混練しておく混練工程を行うことが好ましい。
なお、ステップ２のプライマ塗布工程とステップ３の混練工程とは、どちらの工程を先に行っても、また複数の作業者によって同時に行っても構わない。
【００３５】
次に、プライマが塗布された基誘導用ブロックの表面に骨材１０が混在する接着剤２０を塗布する（ステップ４  塗布工程）。接着剤２０の塗布は、刷毛やローラを用いて行うことができる。そして、接着剤２０が硬化するまで所定時間（３時間程度）放置しておくことで、誘導用ブロック１が完成する。
【００３６】
このように、本実施形態の誘導用ブロック１の製造方法は、基誘導用ブロック１００の表面を清掃する清掃工程と、清掃された表面にプライマを塗布するプライマ塗布工程と、骨材１０と接着剤２０とを混ぜる混練工程と、骨材１０の混ざった接着剤２０を塗布する塗布工程と、からなる。
【００３７】
本実施形態の製造方法からなる誘導用ブロック１は、骨材１０が表面に固着された構成となっていることから、表面強度が高くなっており、表面の突起物３が破損したり、すり減ったりし難くなっている。また、誘導用ブロック１の表面には骨材１０による凹凸が形成されることから、雨天時のように表面が濡れているような場合にも滑り難くなっている。また、混練工程により骨材１０と接着剤２０とを事前に混ぜておき、これを塗布することから、接着剤２０に対する骨材１０の接着面積を確保でき、骨材１０が取れ難くなる。
【００３８】
また、本実施形態の製造方法は、少ない簡単な工程であることから、特に既に敷設されている多くの基誘導用ブロックに対して簡単に施工することができる。そして、敷設済みの基誘導用ブロックに対して施工できることで、視覚障害者誘導用ブロックの交換頻度を大幅に減らすことができる。
【００３９】
なお、ステップ４の塗布工程の後、更に骨材１０と接着剤２０の表面を保護する目的で、オーバーコート層を形成するオーバーコート層形成工程を備えることもできる。このオーバーコート層の材料としては、例えば、エポキシ樹脂等を用いることができる。そして、オーバーコート層を設けることにより、表面を踏まれたりしても骨材１０が剥がれ落ち難くなるため、より表面強度の高い誘導用ブロックとなる。
【００４０】
［実施形態２］
次に他の実施形態にかかる視覚障害者誘導用ブロック（以下、適宜「誘導用ブロック１Ａ」と記す）について説明する。図３は誘導用ブロック１Ａの拡大断面図である。なお、実施形態１と同じ構成については、同じ符号を用い説明を適宜省略する。
【００４１】
本実施形態の誘導用ブロック１Ａは、実施形態１の骨材１０と同じような粒径０．３〜０．５ｍｍの粒子からなる骨材１０Ａを用いる一方で、実施形態１よりも骨材１０Ａの使用量を大幅に減らしている。具体的には、本実施形態の誘導用ブロック１Ａは実施形態１の誘導用ブロック１と同様の製造工程で製造する一方、混練工程においては、１．３ｋｇの接着剤２０に対して６０ｇ程度の骨材１０を用いて混練を行った。
【００４２】
このように小さい粒径で、また骨材１０Ａの使用量を減らすことで、既に表面が黄色く着色されて製造された誘導用ブロック１Ａに対して、基の黄色を活かして表面強度の向上や、滑り防止を行うことができる。また、骨材１０Ａや接着剤２０の使用量を減らすことで、より多くの誘導用ブロック１Ａに対して施工することができる。
【００４３】
次に、本実施形態の誘導用ブロック１Ａの表面強度について、実証実験を行ったのでその結果について説明する。図４（Ａ）は、実験の状況を示した写真画像であり、図４（Ｂ）は、実験結果を示した写真画像である。
【００４４】
実験としては、試料１〜３の３つの誘導用ブロックを用いた。資料１の誘導用ブロックは、本実施形態の誘導用ブロック１Ａである。資料２の誘導用ブロックは、表面に接着剤２０のみを塗布（骨材１０Ａが混在してない）したものである。資料３の誘導用ブロックは、試料１、試料２に用いた既存の誘導用ブロックである（従って、表面に骨材１０Ａも接着剤２０も塗布されていない）。
【００４５】
このような試料１〜３について、図４（Ａ）に示すように、市販の除雪機を用い、オーガと呼ばれたりする回転刃を回転させながら表面に接触させた。その結果、図４（Ｂ）に示すように、試料３の既存の誘導用ブロックは、表面の突起物３の多くが削れて欠けてしまった。また、接着剤２０のみを塗布した試料２の誘導用ブロックにおいても、突起物３に複数の欠けが生じた。一方、試料１の本実施形態の誘導用ブロック１Ａは、多少の削れている突起物３もあるが、完全に欠けているわけでもなく、試料３に比べ表面強度が高くなっていることがわかる。
【００４６】
［実施形態３］
次に他の実施形態にかかる視覚障害者誘導用ブロック（以下、適宜「誘導用ブロック１Ｂ」と記す）について説明する。図５は誘導用ブロック１Ｂの平面図である。なお、他の実施形態と同じ構成については、同じ符号を用いて説明を適宜省略する。
【００４７】
本実施形態の誘導用ブロック１Ｂは、二種類の骨材１０Ｂ、１０Ｃからなる層で表面全体が覆われている構成となっている。骨材１０Ｂ、１０Ｃは、実施形態１の骨材１０と同じ粒径で同じセラミックからなる材質あるが、骨材１０Ｂは黄色に着色されており、骨材１０Ｃは黒色に着色されている。
【００４８】
そして、誘導用ブロック１Ｂは、色の異なる二種類の骨材１０Ｂ、１０Ｃが混在する接着剤２０が表面に塗布されているため、異なる色の濃淡が入り混じった斑模様となっている。このように、誘導用ブロック１Ｂの表面が斑模様になっていることで、色弱の人が敷設されている誘導用ブロック１Ｂを認識し易くなる。
【００４９】
なお、本実施形態では骨材１０Ｂを黄色に、骨材１０Ｃを黒色に着色しているが、色については、他の組合せを用いることもできる。また、骨材の色は、二色に限定されるものではなく、三色等複数の色を用いることもできる。この時、本実施形態のようにセラミック粒子であれば、強度面だけでなく、様々な色に着色し易いことから、骨材として非常に適している。
【００５０】
［実施形態４］
次に他の実施形態にかかる視覚障害者誘導用ブロック（以下、適宜「誘導用ブロック」と記す）について説明する。図６は本実施形態における誘導用ブロックの製造方法を示す製造工程図である。
【００５１】
実施形態１における骨材と接着を塗布する塗布工程は、骨材と接着剤とを事前に混ぜ（混練工程）、この骨材の混ざった接着剤を塗布する工程となっていた。一方、本実施形態においては、骨材と接着剤とを事前に混ぜのではなく、骨材と接着剤を別々に塗布する工程となっている。
【００５２】
具体的には、図６に示すように、まず、基誘導用ブロックの表面の汚れを落とすための清掃を行う（ステップ１１  清掃工程）。次に、清掃を行った基誘導用ブロックの表面側にプライマの塗布を行う（ステップ１２  プライマ塗布工程）。ここまでは、実施形態１と同様である。
【００５３】
次に、プライマが塗布された基誘導用ブロックの表面に、骨材の下に位置することになる下層接着剤を塗布する（ステップ１３  第１塗布工程）。この下層接着剤は、エポキシ樹脂系のものを用いているが、実施形態１のように繊維が混合されている接着剤を用いても構わない。
【００５４】
次に、第１塗布工程によって下層接着剤が塗布された上に骨材を散布する（ステップ１４  散布工程）。なお、散布する骨材としては、実施形態１と同様で構わない。
【００５５】
次に、骨材が散布された後に、この骨材の上に位置することになる上層接着剤を塗布する（ステップ１５  第２塗布工程）。この上層接着剤は、本実施形態においては下層接着剤と同じ接着剤をエポキシ樹脂系のものを用いているが、異なる接着剤を用いても構わない。
【００５６】
このように、本実施形態においては、骨材と接着剤を表面に塗布する塗布工程が、下層接着剤を塗布する第１塗布工程と、第１塗布工程の後に骨材を散布する散布工程と、散布工程の後に上層接着剤を塗布する第２塗布工程と、で構成されている。従って、第１塗布工程と第２塗布工程により、骨材が接着剤で挟み込まれる構造となり、骨材が非常に取れ難くなる。
【００５７】
なお、骨材と接着剤を表面に塗布する塗布工程において、下層接着剤を塗布する第１塗布工程を省略し、第２塗布工程のみで骨材を誘導用ブロックの表面に接着することも可能ではある。しかしながら、特に骨材の量が増えてくると、接着剤と誘導用ブロックとが直接接触する面積がこの骨材によって減少してしまうことになり、誘導用ブロックから骨材と接着剤とが剥がれてしまうおそれがある。従って、本実施形態のように、第１塗布工程と第２塗布工程により、骨材を接着剤で挟み込む構造が好ましい。
【００５８】
また、骨材と接着剤を表面に塗布する塗布工程において、上層接着剤を塗布する第２塗布工程を省略することも可能ではある。しかしながら、この場合骨材の一部が表面に直接露出することになり、骨材が取れ易くなるおそれがあるので、本実施形態のように、第１塗布工程と第２塗布工程により、骨材を接着剤で挟み込む構造が好ましい。
【００５９】
なお、本実施形態のような、骨材と接着剤を別々に塗布する塗布工程では、例えば、第１接着工程で下層接着剤を厚く塗布し、その後散布した骨材を押下して、下層接着剤に骨材を埋め込むことで第２接着工程を省略するような工程を採用することも可能である。
【００６０】
以上のように、本発明の視覚障害者誘導用ブロックは、骨材が混在する接着剤が表面に塗布された構成となっていることから、表面強度が高くなっている。従って、表面の突起物が破損したり、すり減ったりし難くなっている。また、視覚障害者誘導用ブロックの表面には骨材による凹凸が形成されることから、雨天時のように表面が濡れているような場合にも滑り難くなっている。
【００６１】
なお、実施形態においては、骨材としてセラミック粒子を用いて説明したが、本発明の視覚障害者誘導用ブロックは、骨材として炭化ケイ素や珪砂等を用いることができる。また、実施形態においては、基材２や突起物３として、コンクリートからなるものを用いて説明したが、磁器製のものにも用いることができる。また、コンクリート製や磁器製だけでなく樹脂製の視覚障害者誘導用ブロックに対しても本発明は適用可能である。骨材が混在する接着剤を表面に塗布しておくことにより、樹脂製の突起物のすり減りを防ぐことができる。
【００６２】
また、実施形態においては、基材２と突起物３が一体となっていたが、別体で構成されているものでも本発明は適用可能である。また、実施形態においては、所謂警告ブロックを用いて説明したが、当然ながら本発明は、突起物として線状の突起物が形成されている所謂誘導ブロックに対しても適用可能である。
【符号の説明】
【００６３】
１、１Ａ、１Ｂ：誘導用ブロック
２：基材
３：突起物
１０、１０Ａ、１０Ｂ、１０Ｃ：骨材
２０：接着剤
【図１】
2020117916.tif 000003
【図２】
2020117916.tif 000004
【図３】
2020117916.tif 000005
【図４】
2020117916.tif 000006
【図５】
2020117916.tif 000007
【図６】
2020117916.tif 000008